(57)【要約】【課題】内周端部付近の部分に比べ回転時における外周端部付近の部分に掛かる力を軽減した磁気記録媒体用基板を提供する。【解決手段】円板状で中央に貫通孔４を有する樹脂性基板で、厚さが内周端部５から外周端部６に向かって徐々に薄くなっていくことを特徴とする。また、基板の少なくとも一方の面が内周端部５から外周端部６に向かって一定の角度を有する、もしくは、基板の少なくとも一方の面が内周端部５から外周端部６までの曲面であることが好ましい。【選択図】図２
2009054253.tif 000002
【特許請求の範囲】
【請求項１】
円板状で中央に貫通孔を有する樹脂性基板で、厚さが内周端部から外周端部に向かって徐々に薄くなっていくことを特徴とする磁気記録媒体用基板。
【請求項２】
前記基板の少なくとも一方の面が前記内周端部から前記外周端部に向かって一定の角度を有することを特徴とする請求項１に記載の磁気記録媒体用基板。
【請求項３】
前記基板の少なくとも一方の面が前記内周端部から前記外周端部までの曲面であることを特徴とする請求項１に記載の磁気記録媒体用基板。
【請求項４】
前記外周端部の厚さと前記内周端部の厚さの比率が０．２〜０．９であることを特徴とする請求項１乃至３のいずれか一つに記載の磁気記録媒体用基板。
【請求項５】
前記外周端部の厚さと前記内周端部の厚さの差が０．０５ｍｍ〜５．０ｍｍであることを特徴とする請求項１乃至４のいずれか一つに記載の磁気記録媒体用基板。
【請求項６】
前記少なくとも一方の面における前記外周端部より内側方向に所定距離が平坦であることを特徴とする請求項１に記載の磁気記録媒体用基板。
【請求項７】
前記内周端部から前記平坦部分まで一定の角度を有することを特徴とする請求項６に記載の磁気記録媒体用基板。
【請求項８】
前記内周端部から前記平坦部分まで曲面であることを特徴とする請求項６に記載の磁気記録媒体用基板。
【請求項９】
前記外周端部の厚さと前記内周端部の厚さの比率が０．２〜０．９であることを特徴とする請求項６乃至８のいずれか一つに記載の磁気記録媒体用基板。
【請求項１０】
前記外周端部の厚さと前記内周端部の厚さの差が０．０５ｍｍ〜５．０ｍｍであることを特徴とする請求項６乃至８のいずれか一つに記載の磁気記録媒体用基板。
【請求項１１】
前記樹脂性基板の両方の面が徐々に薄くなることを特徴とする請求項１乃至１０のいずれか一つに記載の磁気記録媒体用基板。
【請求項１２】
円板状で中央に貫通孔を有する樹脂性の磁気記録媒体用基板と、
前記貫通孔を貫通するよう前記磁気記録媒体用基板に固定され前記磁気記録媒体用基板を回転させるスピンドルと、
前記磁気記録媒体用基板の少なくとも一方の面に形成される磁性層と、
前記磁性層への磁気情報の読み書きを行う磁気ヘッドと
を備える時期記録装置であって、
前記磁気記録媒体用基板は、
外周端部の厚さが内周端部の厚さに比べ薄く、前記外周端部の厚さと前記内周端部の厚さの比率が０．２〜０．９である
ことを特徴とする磁気記録装置。
【発明の詳細な説明】
【技術分野】
【０００１】
本発明は、磁気ディスク記録装置の基板に用いられる磁気記録媒体用基板及びそれを使用した磁気記録装置に関し、特に、樹脂製の基板を用いた磁気記録媒体用基板に関する。
【背景技術】
【０００２】
コンピュータなどに用いられる磁気ディスク記録媒体には、従来からアルミニウム基板又はガラス基板が用いられている。そして、この基板上に金属磁気薄膜が形成され、金属磁気薄膜を磁気ヘッドで磁化することにより情報が記録される（例えば、特許文献１、特許文献２、及び特許文献３参照。）。
【０００３】
例えばアルミニウム基板を用いる場合、アルミニウム板をプレス成形して円盤状にした後、表面に対して高精度の研削・研磨加工及び洗浄工程を施すことにより、表面を平滑化し、続いて、メッキ処理を施すことにより、ニッケル−リン（Ｎｉ−Ｐ）合金を基板の表面に形成する、その後、研磨加工、テクスチャー加工を施し、さらにスパッタリングによりＣｏ系合金の磁性層を形成することで磁気記録媒体を製造している。
【０００４】
また、ガラス基板を用いる場合、ガラス素材を溶融し、溶融したガラスをプレス成形し、円盤状のガラス基板を作製する。そして、ガラス基板の表面に対して高精度の研削・研磨加工及び洗浄工程を施すことにより、表面を平滑化した後、アルカリの溶媒融塩によるイオン交換によって表面を化学強化処理し、精密洗浄工程を経た後、テクスチャー加工を施し、さらにスパッタリングによりＣｏ系合金の磁性層を形成することで磁気記録媒体を製造している。
【０００５】
ところで、磁気記録媒体用基板としてプラスチック基板などの樹脂性基板を採用する試みがなされている。この場合、樹脂性基板上に磁性層を形成することで磁気記録媒体を製造している。
【０００６】
次に、磁気記録装置の構成を説明する。図７は従来の磁気記録装置の構成図である。図７（Ａ）磁気記録装置の斜視図であり、図７（Ｂ）は磁気記録装置の断面図である。ディスク７１は母材を磁気記録媒体用基板とし、その上に記憶領域である磁性層が形成されている、中央に貫通孔の開いた円板状のものである。また、図７（Ｂ）に示すようにスピンドル７２はディスク７１の貫通孔を貫いて複数のディスク７１を固定している。そして、スピンドル７２がモータにより回転することでディスク７１が回転方向に回転する。磁気ヘッド７３はディスク７１上の記憶領域に磁気情報の読み書きを行うものであり、アーム７４に取り付けられている。そして、アーム７４が走査（シーク）方向に移動することにより、磁気ヘッド７３はディスク７１上の所定の記憶領域に移動しその場所で磁気情報の読み書きを行う。また、図７（Ｂ）に示すディスクはＬ／ＵＬ（Ｌｏａｄ  Ｕｎｌｏａｄ）方式を採用したものであり、ディスク７１の停止時には、アーム７４が記憶領域の外側に移動することにより、磁気ヘッド７３は、ランプ（ヘッド退避部）７５に退避する。
【０００７】
【特許文献１】特開２００３−５４９６５号公報
【特許文献２】特開２００３−５５００１号公報
【特許文献３】特開２０００−１６３７４０号公報
【発明の開示】
【発明が解決しようとする課題】
【０００８】
ここで、磁気記録媒体用基板のような円板状の回転体においては、回転時に円盤状の各部分に掛かる力はその部分の重さとその部分の速度の積（回転モーメント）で表わされる。従来の磁気記録媒体用基板では、円板全体が均一の厚みで作成されているため、全ての部分において同じ重さを有している。そして、円板上の回転体では外側に行くほど角速度が大きくなる。したがって、従来の磁気記録媒体用基板では、回転時には外側に行くほど回転モーメントが大きくなり、面ブレが生じたときには内側の回転モーメントとの差によりその面ブレが増幅され、大きな面ブレが発生していた。
【０００９】
この発明は、このような事情に鑑みてなされたもので、内周端部付近の部分に比べ回転時における外周端部付近の部分に掛かる力を軽減した磁気記録媒体用基板を提供することを目的としている。
【課題を解決するための手段】
【００１０】
上記目的を達成するために、請求項１に記載の磁気記録媒体用基板は、円板状で中央に貫通孔を有する樹脂性基板で、厚さが内周端部から外周端部に向かって徐々に薄くなっていくことを特徴とするものである。
【００１１】
請求項２に記載の発明は、請求項１に記載の磁気記録媒体用基板であって、前記基板の少なくとも一方の面が前記内周端部から前記外周端部に向かって一定の角度を有することを特徴とするものである。
【００１２】
請求項３に記載の発明は、請求項１に記載の磁気記録媒体用基板であって、前記基板の少なくとも一方の面が前記内周端部から前記外周端部までの曲面であることを特徴とするものである。
【００１３】
請求項４に記載の発明は、請求項１乃至３のいずれか一つに記載の磁気記録媒体用基板であって、前記外周端部の厚さと前記内周端部の厚さの比率が０．２〜０．９であることを特徴とするものである。
【００１４】
請求項５に記載の発明は、請求項１乃至４のいずれか一つに記載の磁気記録媒体用基板であって、前記外周端部の厚さと前記内周端部の厚さの差が０．０５ｍｍ〜５．０ｍｍであることを特徴とするものである。
【００１５】
請求項６に記載の発明は、請求項１に記載の磁気記録媒体用基板であって、前記少なくとも一方の面における前記外周端部より内側方向に所定距離が平坦であることを特徴とするものである。
【００１６】
請求項７に記載の発明は、請求項６に記載の磁気記録媒体用基板であって、前記内周端部から前記平坦部分まで一定の角度を有することを特徴とするものである。
【００１７】
請求項８に記載の発明は、請求項６に記載の磁気記録媒体用基板であって、前記内周端部から前記平坦部分まで曲面であることを特徴とするものである。
【００１８】
請求項９に記載の発明は、請求項６乃至８のいずれか一つに記載の磁気記録媒体用基板であって、前記外周端部の厚さと前記内周端部の厚さの比率が０．２〜０．９であることを特徴とするものである。
【００１９】
請求項１０に記載の発明は、請求項６乃至８のいずれか一つに記載の磁気記録媒体用基板であって、前記外周端部の厚さと前記内周端部の厚さの差が０．０５ｍｍ〜５．０ｍｍであることを特徴とするものである。
【００２０】
請求項１１に記載の発明は、請求項１乃至１０に記載の磁気記録媒体用基板であって、前記樹脂性基板の両方の面が徐々に薄くなることを特徴とするものである。
【００２１】
請求項１２に記載の磁気記録装置は、円板状で中央に貫通孔を有する樹脂性の磁気記録媒体用基板と、前記貫通孔を貫通するよう前記磁気記録媒体用基板に固定され前記磁気記録媒体用基板を回転させるスピンドルと、前記磁気記録媒体用基板の少なくとも一方の面に形成される磁性層と、前記磁性層への磁気情報の読み書きを行う磁気ヘッドとを備える時期記録装置であって、前記磁気記録媒体用基板は、外周端部の厚さが内周端部の厚さに比べ薄く、前記外周端部の厚さと前記内周端部の厚さの比率が０．２〜０．９であることを特徴とするものである。
【発明の効果】
【００２２】
請求項１乃至１１に記載の磁気記録媒体用基板、又は請求項１２に記載の磁気記録装置によると、円板状の磁気記録媒体用基板の外側の部分の厚さが内側部分の厚さに比べて、厚く構成されている。これにより、外側の部分の重さが内側に比べ軽くなるため、内側部分に比べ外側部分に働く力が小さくなり、面ブレが生じたときにその面ブレを増幅させることなく回転が安定し、それにより磁気ヘッドでの情報の読み書きを安定させることが可能となる。
【発明を実施するための最良の形態】
【００２３】
〔第１の実施形態〕
以下、この発明の第１の実施形態に係る磁気記録媒体用基板について図１及び図２を参照して説明する。図１はこの発明の第１の実施形態に係る磁気記録媒体用基板を厚さ方向から見た図である。図２はこの発明の第１の実施形態に係る磁気記録媒体用基板の断面図である。そして、図２は図１における一点鎖線II-IIに沿って切った断面図である。
【００２４】
図１に示すように磁気記録媒体用基板１は円盤状の形状を有し、図２に示すように、基板の中央Ｏに貫通孔４が形成されている。この磁気記録媒体用基板１は非磁性材料により構成されており、この実施形態では、非磁性材料の１例として樹脂を用いた場合について説明する。
【００２５】
次に、磁気記録媒体用基板１の材料について説明する。磁気記録媒体用基板１には、熱可塑性樹脂、熱硬化性樹脂、又は活性線硬化性樹脂の他、様々な樹脂を用いることができる。
【００２６】
磁気記録媒体用基板１には、熱可塑性樹脂として、例えば、ポリカーボネイト、ポリエーテルエーテルケトン樹脂（ＰＥＥＫ樹脂）、環状ポリオレフィン樹脂、メタクリルスチレン樹脂（ＭＳ樹脂）、ポリスチレン樹脂（ＰＳ樹脂）、ポリエーテルイミド樹脂（ＰＥＩ樹脂）、ＡＢＳ樹脂、ポリエステル樹脂（ＰＥＴ樹脂、ＰＢＴ樹脂など）、ポリオレフィン樹脂（ＰＥ樹脂、ＰＰ樹脂など）、ポリスルホン樹脂、ポリエーテルスルホン樹脂（ＰＥＳ樹脂）、ポリアリレート樹脂、ポリフェニレンサルファイド樹脂、ポリアミド樹脂、又は、アクリル樹脂などを用いることができる。また、熱硬化性樹脂として、例えば、フェノール樹脂、ユリア樹脂、不飽和ポリエステル樹脂（ＢＭＣ樹脂など）、シリコン樹脂、ウレタン樹脂、エポキシ樹脂、ポリイミド樹脂、ポリアミドイミド樹脂、又は、ポリベンゾウイミダゾール樹脂などを用いることができる。その他、ポリエチレンナフタレート樹脂（ＰＥＮ樹脂）などを用いることができる。
【００２７】
さらに、活性線硬化性樹脂として、例えば、紫外線硬化性樹脂が用いられる。紫外線硬化性樹脂としては、例えば、紫外線硬化性アクリルウレタン系樹脂、紫外線硬化性ポリエステルアクリレート系樹脂、紫外線硬化性エポキシアクリレート系樹脂、紫外線硬化性ポリオールアクリレート系樹脂、紫外線硬化性エボキシ樹脂、紫外線硬化シリコン系樹脂、又は、紫外線硬化アクリル樹脂などを挙げることができる。
【００２８】
また、塗説された硬化前の層に活性線を照射することによって硬化するときに、光開始剤を用いて硬化反応を促進させることが好ましい。このとき光増感剤を併用しても良い。
【００２９】
また、空気中の酸素が上記硬化反応を抑制する場合は、酸素濃度を低下させる、または除去するために、例えば不活性ガス雰囲気下で活性線を照射することもできる。活性線としては、赤外線、可視光、紫外線などを適宜選択することができるが、特に紫外線を選択することが好ましいが、特に限定されるものではない。また、活性線の照射中、または前後に加熱によって硬化反応を強化させても良い。
【００３０】
さらに、磁気記録媒体用基板１には、液晶ポリマー、有機／無機ハイブリッド樹脂（例えば、高分子成分にシリコンを骨格として取り込んだもの）などを用いても良い。なお、上記に挙げた磁気記録媒体用基板１に用いられる樹脂の一例であり、この発明に係る基板がこれらの樹脂に限定されることはない。２種以上の樹脂を混合して樹脂製の基板としても良く、また、別々の層として異なる成分を隣接させて基板としても良い。
【００３１】
磁気記録媒体用基板１の製造方法は、磁気記録媒体用基板１の形状に対応した形状を有する金型を用いて、射出成形法、注型成形法、シート成形法、射出圧縮成形法、又は圧縮成形法などの成形法によって作製することができる。さらに、必要に応じて、成形した基板をカッティングし、打ち抜き、又はプレス成形を行って磁気記録媒体用基板１を製造しても良い。
【００３２】
そして、磁気記録媒体用基板１は、１つの材質で構成されておりどの部分においても同じ密度で構成されている。
【００３３】
磁気記録媒体用基板１は、磁性層が形成される表面２及び裏面３が内周端部５から外周端部６に向かって傾斜を有している。ここで、磁気記録媒体用基板１の貫通孔４の周囲が内周端部５であり、磁気記録媒用基板１の最も外側の周囲が外周端部６である。これにより、外周端部に向かって磁気記録媒体用基板１の厚さが徐々に薄くなる。本実施形態では、表面２及び裏面３ともに記憶領域となっており、表面２及び裏面３のいずれでも磁気ヘッドにより磁気情報の読み書きが行われるため、いずれの面にも傾斜を設けている。表面２と裏面３は対象な形状を有する同一の構成であるため、以下では表面２側の構成で説明する。
【００３４】
そして、内周端部５の厚さはｄ１（ｍｍ）であり、外周端部の厚さはｄ２（ｍｍ）であり、ｄ１＞ｄ２である。ここで、ｄ１とｄ２の差であるｄ１−ｄ２は０．０５ｍｍ以上５．０ｍｍ以下に含まれることが好ましい。より好ましくは、０．１ｍｍ以上４．０ｍｍ以下に含まれることが好ましい。さらに、内周端部５の厚さと外周端部６の厚さの比率であるｄ２／ｄ１は０．２以上０．９以下に含まれることが好ましい。より好ましくは、０．３以上０．８以下に含まれることが好ましい。
【００３５】
樹脂製の磁気記録媒体用基板１を作製した後、メッキ法などの製膜方法によって、磁気記録媒体用基板１の全表面に対して皮膜層を形成する。その後、皮膜層を研磨し、研磨後の皮膜層上に磁性層を形成して磁気記録媒体とする。
【００３６】
ここで、磁気記録媒体用基板１上に磁性層を形成して磁気記録媒体とするが、この磁性層は非常に薄いため、ヘッドの動作は磁気記録媒体用基板１の形状に依存する。
【００３７】
さらに、製造した磁気記録媒体に対し、背景技術で説明した図６のように、スピンドル６２、磁気ヘッド６３、アーム６４、及びランプ（ヘッド退避部）６５を取り付けることで磁気記録装置とする。
【００３８】
以上のように、本実施形態における磁気記録媒体用基板１、その基板で構成された磁気記録装置は、内周端部５から外周端部６に向かうにしたがい徐々に薄くなっていく構成になっている。そして、本実施形態における磁気記録媒体用基板１は材質及び密度が均一であるため、外周端部６に向かうにしたがい軽くなっていくことになる。そのため、高速回転時の面ブレに影響の大きい外周部分の重量配分が小さくなり、回転軸に近い部分の重量配分が多くなるため、高速回転時においては回転軸が安定し且つ面ブレが抑えられ、磁気ヘッドによる磁気情報の安定した読み書きが行えるようになる。
【００３９】
〔第２の実施形態〕
図３はこの発明の第２の実施形態に係る磁気記録媒体用基板の断面図である。本実施形態に係る磁気記録媒体用基板１Ａは一方の面（ここでは表面２）に記憶領域である磁性層が存在し、その記憶領域に対し磁気ヘッドにより読み書きが行われ、他方の面（ここでは裏面３）には磁性層が存在せず、裏面３側には磁気ヘッドが配置されていない構成である。
【００４０】
磁気記録媒体用基板１Ａは円板状の形状を有する。この磁気記録媒体用基板１Ａも第１の実施形態と同様に、基板の中央Ｏに貫通孔４が形成されている。この磁気記録媒体用基板１Ａは非磁性材料により構成されており、この実施形態では、非磁性材料の１例として樹脂を用いた場合について説明する。
【００４１】
磁気記録媒体用基板１Ａは、磁性層が形成される表面２が内周端部５から外周端部６に向かって傾斜を有している。ここで、磁気記録媒体用基板１Ａの貫通孔４の周囲が内周端部５であり、磁気記録媒用基板１Ａの最も外側の周囲が外周端部６である。これにより、外周端部に向かって磁気記録媒体用基板１Ａの厚さが徐々に薄くなるよう構成している。裏面３は磁気記憶領域がないため、磁気情報の読み書きには使用されない面であり傾斜なく平坦に構成されている。
【００４２】
そして、内周端部５の厚さはｄ１（ｍｍ）であり、外周端部の厚さはｄ２（ｍｍ）であり、ｄ１＞ｄ２である。ここで、ｄ１とｄ２の差であるｄ１−ｄ２は０．０５ｍｍ以上５．０ｍｍ以下に含まれることが好ましい。より好ましくは、０．１ｍｍ以上４．０ｍｍ以下に含まれることが好ましい。さらに、内周端部５の厚さと外周端部６の厚さの比率であるｄ２／ｄ１は０．２以上０．９以下に含まれることが好ましい。より好ましくは、０．３以上０．８以下に含まれることが好ましい。
【００４３】
以上のように、一方の面だけに記憶領域が存在する場合には、その一方の面のみを内周端部５から外周端部６に向かうにしたがい徐々に薄くなる構成にしている。本実施形態では磁気記録媒体用基板１Ａは材質及び密度が一定であるため、このような構成を採ることにより、外周端部６に向かうにしたがい軽くなる。このように一方の面のみに記憶領域を有する磁気記録媒体用基盤１Ａでは、その一方の面にのみ傾斜をつければいいため、両面の場合と比べて製造工程を省略でき、さらに、面ブレが抑えられ磁気ヘッドによる磁気情報の安定した読み書きが行える。
【００４４】
〔第３の実施形態〕
図４はこの発明の第３の実施形態に係る磁気記録媒体用基板の断面図である。本実施形態に係る磁気記録媒体用基板１Ｂは表面２及び裏面３のいずれの面にも記憶領域である磁性層が形成されており、いずれの面にも磁気ヘッドが配置されている構成である。
【００４５】
磁気記録媒体用基板１Ｂは円板状の形状を有する。この磁気記録媒体用基板１Ｂも第１の実施形態と同様に、基板の中央Ｏに貫通孔４が形成されている。この磁気記録媒体用基板１Ｂは非磁性材料により構成されており、この実施形態では、非磁性材料の１例として樹脂を用いた場合について説明する。
【００４６】
磁気記録媒体用基板１Ｂは、表面２及び裏面３が曲面で構成されている。そして、磁気記録媒体用基板１Ｂの厚さが内周端部５から外周端部６に向かって徐々に薄くなる。ここで、磁気記録媒体用基板１Ｂの貫通孔４の周囲が内周端部５であり、磁気記録媒用基板１Ｂの最も外側の周囲が外周端部６である。本実施形態では、表面２及び裏面３ともに記憶領域を有しており、表面２及び裏面３のいずれでも磁気ヘッドにより磁気情報の読み書きが行われるため、いずれの面も曲面で構成している。表面２と裏面３とは対象な形状を有し同一の構成であるため、以下では表面２側の構成で説明する。
【００４７】
本実施形態では、内周端部５の厚さはｄ１（ｍｍ）であり、外周端部の厚さはｄ２（ｍｍ）であり、ｄ１＞ｄ２である。ここで、ｄ１とｄ２の差であるｄ１−ｄ２は０．０５ｍｍ以上５．０ｍｍ以下に含まれることが好ましい。より好ましくは、０．１ｍｍ以上４．０ｍｍ以下に含まれることが好ましい。さらに、内周端部５の厚さと外周端部６の厚さの比率であるｄ２／ｄ１は０．２以上０．９以下に含まれることが好ましい。より好ましくは、０．３以上０．８以下に含まれることが好ましい。
【００４８】
以上のように、本実施形態における磁気記録媒体用基板１Ｂ、その基板で構成された磁気記録装置は、内周端部５から外周端部６に向かうにしたがい徐々に薄くなっていく構成になっている。そして、本実施形態における磁気記録媒体用基板１Ｂは材質及び密度が均一であるため、外周端部６に向かうにしたがい軽くなっていくことになる。したがって、外に行くに従い回転により掛かる力が弱くなる。したがって回転による面ブレが抑えられ、磁気ヘッドによる磁気情報の安定した読み書きが行えるようになる。また、曲面で構成されているため、記憶領域において平坦に近い領域をより多く確保でき、磁気ヘッドによる読み書きをより安定させることが可能となる。
【００４９】
〔第４の実施形態〕
図５はこの発明の第４の実施形態に係る磁気記録媒体用基板の断面図である。本実施形態に係る磁気記録媒体用基板１Ｃは一方の面（ここでは表面２）に記録領域である磁性層が形成されており、その記録領域に対し磁気ヘッドで読み書きが行われ、他方の面（ここでは裏面３）には磁気記録領域が存在せず、裏面３側には磁気ヘッドが配置されていない構成である。
【００５０】
磁気記録媒体用基板１Ｃは円盤状の形状を有する。この磁気記録媒体用基板１Ｃも第１の実施形態と同様に、基板の中央Ｏに貫通孔４が形成されている。この磁気記録媒体用基板１Ｃは非磁性材料により構成されており、この実施形態では、非磁性材料の１例として樹脂を用いた場合について説明する。
【００５１】
磁気記録媒体用基板１Ｃは、表面２が曲面で構成されている。そして、磁気記録媒体用基板１Ｂの厚さが内周端部５から外周端部６に向かって徐々に薄くなる。ここで、磁気記録媒体用基板１Ｃの貫通孔４の周囲が内周端部５であり、磁気記録媒用基板１Ｃの最も外側の周囲が外周端部６である。裏面３は磁気記憶領域がないため、次期情報の読み書きには使用されない面であり平坦に構成されている。
【００５２】
本実施形態では、内周端部５の厚さはｄ１（ｍｍ）であり、外周端部の厚さはｄ２（ｍｍ）であり、ｄ１＞ｄ２である。ここで、ｄ１とｄ２の差であるｄ１−ｄ２は０．０５ｍｍ以上５．０ｍｍ以下に含まれることが好ましい。より好ましくは、０．１ｍｍ以上４．０ｍｍ以下に含まれることが好ましい。さらに、内周端部５の厚さと外周端部６の厚さの比率であるｄ２／ｄ１は０．２以上０．９以下に含まれることが好ましい。より好ましくは、０．３以上０．８以下に含まれることが好ましい。
【００５３】
以上のように、一方の面だけに記憶領域が存在する場合には、その一方の面のみを内周端部５から外周端部６に向かうにしたがい徐々に薄くなる構成にしている。本実施形態では磁気記録媒体用基板１Ｃは材質及び密度が一定であるため、このような構成を採ることにより、外周端部６に向かうにしたがい軽くなる。このように一方の面のみに記憶領域を有する磁気記録媒体用基盤１Ｃでは、その一方の面のみを曲面にすればいいため、両面を曲面にする場合と比べて製造工程を省略でき、また、面ブレが抑えられ磁気ヘッドによる磁気情報の安定した読み書きが行え、さらに、記憶領域において平坦に近い領域をより多く確保でき、磁気ヘッドによる読み書きをより安定させることが可能となる。
【００５４】
〔第５の実施形態〕
図６はこの発明の第５の実施形態に係る磁気記録媒体用基板の断面図である。本実施形態に係る磁気記録媒体用基板１Ｄは表面２及び裏面３のいずれの面にも記憶領域である磁性層が形成されており、いずれの面にも磁気ヘッドが配置されている構成である。
【００５５】
磁気記録媒体用基板１Ｄは円盤状の形状を有する。この磁気記録媒体用基板１Ｄも第１の実施形態と同様に、基板の中央Ｏに貫通孔４が形成されている。この磁気記録媒体用基板１Ｄは非磁性材料により構成されており、この実施形態では、非磁性材料の１例として樹脂を用いた場合について説明する。
【００５６】
磁気記録媒体用基板１Ｄは、表面２及び裏面３のいずれの面も内周端部５から距離Ｌ（この発明における所定距離）は徐々に薄くなるように傾斜をつけて構成され、それより外側の外周端部６に向かう領域は平坦に構成されている。ここで、磁気記録媒体用基板１Ｄの貫通孔４の周囲が内周端部５であり、磁気記録媒用基板１Ｄの最も外側の周囲が外周端部６である。本実施形態では、表面２及び裏面３ともに記憶領域を有しており、表面２及び裏面３のいずれでも磁気ヘッドにより磁気情報の読み書きが行われるため、いずれの面も外周端部で傾斜を有している構成である。表面２と裏面３とは対象な形状を有し同一の構成であるため、以下では表面２側の構成で説明する。
【００５７】
本実施形態では、内周端部５の厚さはｄ１（ｍｍ）であり、外周端部の厚さはｄ２（ｍｍ）であり、ｄ１＞ｄ２である。ここで、ｄ１とｄ２の差であるｄ１−ｄ２は０．０５ｍｍ以上５．０ｍｍ以下に含まれることが好ましい。より好ましくは、０．１ｍｍ以上４．０ｍｍ以下に含まれることが好ましい。さらに、内周端部５の厚さと外周端部６の厚さの比率であるｄ２／ｄ１は０．２以上０．９以下に含まれることが好ましい。より好ましくは、０．３以上０．８以下に含まれることが好ましい。
【００５８】
以上のように、表面２及び裏面３のいずれも貫通孔４から距離Ｌまでは平坦な面を有し、その外側では外に向かうに従い徐々に基準面Ａから離れていく傾斜で構成されている。これにより、磁気ヘッドもその曲面に沿って徐々に基準面Ａから離れてく。そして、ヘッド退避部と表面２との接続点における磁気ヘッドの移動方向は角度θで基準面Ａから離れる方向である。そして、ディスクの回転の停止時に磁気ヘッドがヘッド退避部に退避するときには、接続点において角度θで基準面からはなれる方向で移動し、その後、ヘッド退避部に移り角度φでさらに基準面から離れる方向で移動する。すなわち、磁気ヘッドの移動におけるディスクからヘッド退避部へ移行する接続点では、磁気ヘッドの移動方向が角度θから角度φに変化することになる。そして、この角度θと角度φの角度差が小さく押さえられているため、磁気ヘッドの移動はこの接続点においてスムースに接続されることが可能になる。また、表面の全面が傾斜を有している場合と比較し、表面２又は裏面３における傾斜部と平坦部の境目における接続のスムースさが軽減するが、平坦部では磁気ヘッドの読み書きをより安定させることができる。
【００５９】
ここで、表面２及び表面３の平坦な面の部分における貫通孔４からの距離Ｌは基板の外径に依存する。すなわち、距離Ｌは、外形をＲとした場合、０．７５＜Ｌ＜０．９５Ｒの関係を有する距離である。
【００６０】
以上のように、本実施形態における磁気記録媒体用基板１Ｄ、その基板で構成された磁気記録装置は、内周端部５から外周端部６に向かうにしたがい距離Ｌまで徐々に薄くなっていきその外側では平坦な領域として構成されている。そして、本実施形態における磁気記録媒体用基板１Ｄは材質及び密度が均一であるため、内周端部５の付近と比べて外周端部６に付近は軽くなっている。したがって、外周端部６付近では内周端部５付近に比べて回転により掛かる力が弱くなる。したがって回転による面ブレが抑えられ、磁気ヘッドによる磁気情報の安定した読み書きが行えるようになる。また、記憶領域に平坦な部分が確保されているため、その平坦な部分での磁気ヘッドによる読み書きをより安定させることが可能となる。
【００６１】
また、本実施形態では直線的な傾斜で説明しているがこれは曲面であっても良い、また、一方の面にのみ記憶領域がある場合には、その一方の面だけに傾斜又は曲面を有し、他方の面は全面が平坦な構成でもよい。
【００６２】
（実施例）
基板の大きさ：外形６５ｍｍ、内径：２０ｍｍ
内周端部の厚み：２．５ｍｍ
外周端部の厚み：１．０ｍｍ
厚みの差：１．５ｍｍ
比率：０．４
評価方法：レーザドップラー振動計を用い５４００ｒｐｍで回転させたときの、基板の振幅（面ブレ）量を計算した。
評価結果  面ブレ：４．５ｎｍ
比較例（平坦）の結果  面ブレ：１５ｎｍ
【図面の簡単な説明】
【００６３】
【図１】この発明の第１の実施形態に係る磁気記録媒体用基板を厚さ方向から見た図
【図２】この発明の第１の実施形態に係る磁気記録媒体用基板の断面図
【図３】この発明の第２の実施形態に係る磁気記録媒体用基板の断面図
【図４】この発明の第３の実施形態に係る磁気記録媒体用基板の断面図
【図５】この発明の第４の実施形態に係る磁気記録媒体用基板の断面図
【図６】この発明の第５の実施形態に係る磁気記録媒体用基板の断面図
【図７】（Ａ）磁気記録装置の斜視図（Ｂ）磁気記録装置の断面図
【符号の説明】
【００６４】
１、１Ａ、１Ｂ、１Ｃ、１Ｄ  磁気記録媒体用基板
２  表面
３  裏面
４  貫通孔
５  内周端部
６  外周端部
【図１】
2009054253.tif 000003
【図２】
2009054253.tif 000004
【図３】
2009054253.tif 000005
【図４】
2009054253.tif 000006
【図５】
2009054253.tif 000007
【図６】
2009054253.tif 000008
【図７】
2009054253.tif 000009